(57)【特許請求の範囲】
【請求項１】
複数の監視カメラの映像データを録画可能であり、各映像データをモニタに分割表示可能なデジタル録画装置であって、
映像データと、不揮発メモリに記憶された表示設定情報とに基いて、各分割画面の表示位置情報と各分割画面に対応する監視カメラ情報とを関連付けて設定する画面表示関連付け部と、
前記表示設定情報に基いて分割表示された複数の映像データの内から任意の映像データをクリック選択した際のクリック情報と、前記画面表示関連付け部に設定された表示位置情報および監視カメラ情報とに基いて、クリック選択した映像を特定するためのクリック映像一時情報を生成するクリック情報収集部と、
クリック選択する映像についての分割画面のレイアウト情報およびカメラ表示サイズ情報を確定する映像選択開始手段と、
を備え、
前記クリック映像一時情報はクリックの順序情報および監視カメラ情報からなり、
前記映像選択開始手段によって確定した分割画面のレイアウト情報およびカメラ表示サイズ情報と、前記クリックの順序情報および監視カメラ情報とを結合してこれを表示設定情報として揮発メモリに書き込み、当該揮発メモリに書き込んだ表示設定情報に基いて、クリック選択した映像データをモニタに分割表示することを特徴とするデジタル録画装置。
【請求項２】
クリック選択した映像データを、クリックの順序に基いて割り振りモニタに分割表示することを特徴とする請求項１に記載のデジタル録画装置。
【発明の詳細な説明】
【技術分野】
【０００１】
本発明は、映像データをモニタに分割表示可能なデジタル録画装置に関する。
【背景技術】
【０００２】
デジタル録画装置として、監視カメラからのリアルタイムの映像若しくは録画した映像をモニタに分割表示させる機能を有したものが従来より知られている。従来初期では図７に示すように、監視カメラからのＮＴＳＣ方式の映像信号Ｓ５１をデコーダ６１により「ＩＴＵ−Ｒ  ＢＴ．６５６」規格の映像信号Ｓ５２にデコードし、それを画面分割専用ＩＣ６２を用いて分割処理したうえで、エンコーダ６３でＮＴＳＣ方式の映像信号Ｓ５３にエンコードしてモニタに出力する技術が多用されていた。近年では図８に示すように、ＦＰＧＡ（Field-Programmable Gate Array）６４を用いて映像データＳ５４を一時メモリ６５に分割画面状となるように蓄積し、その蓄積した映像データＳ５５をＦＰＧＡ６４に戻してエンコーダ６３に出力する技術も用いられている。
【０００３】
なお、デジタル録画装置の分割画面表示に関する先行技術文献としては、特許文献１、２に記載のものが挙げられる。特許文献１には、表示すべき監視領域を指定したとき、指定された監視領域の所属監視カメラ情報に応じて表示画面を分割する技術が記載されている。特許文献２には、所望の分割領域において映像をズームアップ表示する技術が記載されている。
【先行技術文献】
【特許文献】
【０００４】
【特許文献１】特開２００１−３０９３６８号公報
【特許文献２】特開平７−７７９６５号公報
【発明の概要】
【発明が解決しようとする課題】
【０００５】
従来の分割画面表示に関する技術はいずれも、各分割画面に対してどの監視カメラの映像データを表示するかという割り当てが予め設定された技術である。この画面分割に関する情報は不揮発メモリに予め記憶されている。
しかしながら、このような不揮発メモリに予め記憶された画面分割情報にのみ基いて画面を分割表示させる技術では、多様なモニタの監視ニーズに柔軟に対応しづらいという問題がある。
【０００６】
本発明は、予め設定された分割画面と映像との組み合わせによることなく複数の所望の映像を自由にモニタに分割表示できるデジタル録画装置を提供することを目的としている。
【課題を解決するための手段】
【０００７】
本発明は、前記課題を解決するため、複数の監視カメラの映像データを録画可能であり、各映像データをモニタに分割表示可能なデジタル録画装置であって、映像データと、不揮発メモリに記憶された表示設定情報とに基いて、各分割画面の表示位置情報と各分割画面に対応する監視カメラ情報とを関連付けて設定する画面表示関連付け部と、前記表示設定情報に基いて分割表示された複数の映像データの内から任意の映像データをクリック選択した際のクリック情報と、前記画面表示関連付け部に設定された表示位置情報および監視カメラ情報とに基いて、クリック選択した映像を特定するためのクリック映像一時情報を生成するクリック情報収集部と、クリック選択する映像についての分割画面のレイアウト情報およびカメラ表示サイズ情報を確定する映像選択開始手段と、を備え、前記クリック映像一時情報はクリックの順序情報および監視カメラ情報からなり、前記映像選択開始手段によって確定した分割画面のレイアウト情報およびカメラ表示サイズ情報と、前記クリックの順序情報および監視カメラ情報とを結合してこれを表示設定情報として揮発メモリに書き込み、当該揮発メモリに書き込んだ表示設定情報に基いて、クリック選択した映像データをモニタに分割表示することを特徴とする。
【０００８】
このデジタル録画装置によれば、使用者は複数の所望の映像を自分でクリック選択することにより自由にモニタに分割表示できるので、監視業務の利便性が向上する。画面表示関連付け部とクリック情報収集部とを利用することで、クリック選択された映像データをモニタに分割表示するためのソフトウェアプログラムも簡易なもので済む。
【００１１】
また、本発明は、クリック選択された映像データを、クリックの順序に基いて割り振りモニタに分割表示することを特徴とする。
【００１２】
このデジタル録画装置によれば、クリック選択された映像データを、クリックの順序に基いて割り振りモニタに分割表示するので、使用者にとって違和感を感じることがなく、操作の利便性が向上する。
【発明の効果】
【００１３】
本発明によれば、多様なモニタの監視ニーズに柔軟に対応できる。
【図面の簡単な説明】
【００１４】
【図１】本発明に係るデジタル録画装置の概略構成を示すブロック図である。
【図２】画面表示関連付け部において、各分割画面の表示位置情報と各分割画面に対応する監視カメラ情報とが関連付けられた様子を示すイメージ図である。
【図３】クリック映像一時情報のイメージ図である。
【図４】上図は通常時のモニタの分割画面例、下図はクリック選択した映像についてのモニタの分割画面例を示す。
【図５】上図は通常時のモニタの分割画面例、下図はクリック選択した映像についてのモニタの分割画面例を示す。
【図６】上図は通常時のモニタの分割画面例、下図はクリック選択した映像についてのモニタの分割画面例を示す。
【図７】デジタル録画装置における分割画面技術の従来例を示すブロック図である。
【図８】デジタル録画装置における分割画面技術の従来例を示すブロック図である。
【発明を実施するための形態】
【００１５】
本発明に係るデジタル録画装置１の概略構成を図１に示す。デジタル録画装置１は、複数の監視カメラの映像データを図示しないハードディスクドライブ装置に録画可能であって、不揮発メモリに記憶された表示設定情報１１に基いて、監視カメラからのリアルタイムの映像データ若しくは録画した映像データをモニタに分割表示する機能を有している。デジタル録画装置１は、デコーダ２と、キャプチャ機構（その一例としてキャプチャボード３）と、一時メモリ４と、表示制御部５と、映像切替部６と、画面表示関連付け部７と、クリック情報収集部８と、表示専用メモリ９と、エンコーダ１０と、を備える。表示制御部５、映像切替部６、画面表示関連付け部７およびクリック情報収集部８は、図示しないＣＰＵが所定のソフトウェアプログラムにしたがって動作することにより実現される機能部分である。
【００１６】
デコーダ２は、複数の監視カメラから出力された映像信号Ｓ１（たとえばＮＴＳＣ方式の信号）をデコードして映像信号Ｓ２（たとえば「ＩＴＵ−Ｒ  ＢＴ．６５６」規格の信号）を出力する。キャプチャ機構（キャプチャボード３）は、映像信号Ｓ２を任意の画像フォーマットの映像データＳ３に変換する。映像データＳ３は一時メモリ４に一旦蓄積され、蓄積した映像データＳ４は表示制御部５に出力される。
【００１７】
表示制御部５は、映像データＳ４と、図示しないメモリに記憶される表示設定情報１１とに基いて、映像データ、分割画面のレイアウト情報、表示位置情報、カメラ表示サイズ情報等からなる情報Ｓ５を画面表示関連付け部７に送る。表示設定情報１１は、たとえば、分割画面のレイアウト情報と、どの監視カメラ情報が分割画面のどの位置に表示されるかを示す表示位置情報と、カメラ表示サイズ情報とからなる。
【００１８】
表示設定情報１１は、不揮発メモリの領域に設定される「表示設定１〜Ｎ」と、揮発メモリの領域に設定される「表示設定Ｎ＋１」とに分けられて構成されており、「表示設定１〜Ｎ」の各設定エリアと「表示設定Ｎ＋１」の設定エリアのそれぞれに前記した分割画面のレイアウト情報、表示位置情報およびカメラ表示サイズ情報が設定されている。分割画面のレイアウト情報に関しての例を挙げると、「表示設定１」は、モニタの画面を縦横２分割ずつの計４分割にするレイアウト情報であり、「表示設定２」は、モニタの画面を縦横３分割ずつの計９分割にするレイアウト情報であり、「表示設定３」は、モニタの画面を縦横４分割ずつの計１６分割にするレイアウト情報である。その他、様々な分割画面のレイアウト情報を「表示設定１〜Ｎ」に設定可能である。
【００１９】
一方、「表示設定Ｎ＋１」には、後記するようにクリック情報収集部８によりクリック映像一時情報１２が一時的に書き込まれる。「表示設定Ｎ＋１」にも、分割画面のレイアウト情報に関しての例として、縦横２分割ずつの計４分割にするレイアウト情報、縦横３分割ずつの計９分割にするレイアウト情報、縦横４分割ずつの計１６分割にするレイアウト情報等、適宜なレイアウト情報が書き込まれる。
【００２０】
映像切替部６は、表示制御部５に、表示設定情報１１の「表示設定１〜Ｎ」の内のいずれかを選択するための切替指示Ｓ６を送る。映像切替部６は、適宜の切替タイミングに設定可能なシーケンシャル制御部や手動の場合にはモニタ画面上のクリック用アイコン等から構成される。
【００２１】
画面表示関連付け部７は、表示制御部５からの情報Ｓ５に基いて、各分割画面の表示位置情報と各分割画面に対応する監視カメラ情報とを関連付けて設定する。図２は画面が９分割にレイアウトされて９台のカメラの各映像が映される場合において、分割画面の表示位置情報としての表示部１〜９と各監視カメラの監視カメラ情報としてのカメラ番号１〜９とが関連付けられた様子を示している。
【００２２】
図１に戻り、クリック情報収集部８は、不揮発メモリに記憶された表示設定情報１１、すなわち「表示設定１〜Ｎ」に基いて、モニタにおいて分割表示された複数の映像データの内から使用者が任意の映像データをクリック選択した際のクリック情報と、前記画面表示関連付け部７に設定された表示位置情報および監視カメラ情報とに基いて、クリック選択した映像を特定するためのクリック映像一時情報１２を生成する。クリック情報収集部８は、任意にクリック選択する映像データｎ個分を確保するべく、最低でもｎ個分の収集エリアを持つ。
【００２３】
クリック映像一時情報１２は、図３に示すように、たとえばクリックの順序（クリックＮｏ．）とそれに対応する監視カメラ情報（カメラＮｏ．）からなる。つまり、図２の画面表示関連付け部７において表示部１〜９と監視カメラＮｏ．１〜９とが関連付けられているため、使用者が任意の表示部１〜９の映像データをクリック選択することで、そのクリックの順序（クリックＮｏ．）とそれに対応する監視カメラ情報(カメラＮｏ．)とが特定されることとなり、これをクリック映像一時情報１２とする。クリック映像一時情報１２は図示しない揮発メモリに一時保存される。
【００２４】
また、デジタル録画装置１は、クリック選択する映像についての分割画面のレイアウト情報およびカメラ表示サイズ情報を確定する映像選択開始手段を備える。本実施形態では映像選択開始手段は図４に示す映像選択アイコン１３からなる。
【００２５】
画面表示関連付け部７からの映像データＳ８は表示専用メモリ９に送られる。表示専用メモリ９から出力された映像データＳ９はエンコーダ１０によりＲＧＢ信号である映像信号Ｓ１０にエンコードされ、モニタに出力される。
【００２６】
「作用」
通常時、表示制御部５は、映像切替部６からの切替指示Ｓ６にしたがい、不揮発メモリに記憶された表示設定情報１１に基いて、映像データと、「表示設定１〜Ｎ」の内のいずれかの情報とからなる情報Ｓ５を画面表示関連付け部７に送る。これにより、モニタ画面においてはたとえば図４の上図に示すように、９分割された各表示部１〜９にそれぞれ監視カメラ１〜９の映像データが表示される。
【００２７】
使用者がある複数の映像を分割表示して監視したい場合、映像選択開始手段を作動させる。具体的にはモニタ画面の上部に配されたメニュー欄の映像選択アイコン（たとえば４分割用のアイコン）１３をマウス等によりクリックすると、任意の複数の映像を分割表示するための分割画面のレイアウト情報（この場合、４分割画面）と、カメラ表示サイズ情報（この場合、４分割画面に対応するカメラ表示サイズ情報）とが確定する。そして、図１において、クリック情報収集部８がアクティブ状態となり、画面表示関連付け部７の使用者によるクリック動作を監視する。本実施例の場合、４分割の画面レイアウトのため、クリック情報収集部８は４つの収集エリアを有している。
【００２８】
図４の上図において、たとえば使用者が最初に表示部２をクリックすると、その表示部２の縁が色縁となることで表示部２が選択された旨が使用者に判る。次いで使用者が表示部７、表示部４、表示部１の順でクリックすると、それぞれ同様に縁が色縁化されていく。最後に選んだ表示部１を再度クリックするか、或いは映像選択アイコン１３または図示しない専用の決定アイコン等をクリックするなどの方法を採ることにより、所望の映像データを全て選択し終えたことをクリック情報収集部８に認識させることができる。
【００２９】
使用者が４つの映像をクリック選択し終えると、クリック情報収集部８は、収集したクリック情報に基いて、クリックの順序(クリックＮｏ．)とそれに対応する監視カメラ情報（カメラＮｏ．）からなるクリック映像一時情報１２を生成する。そして、クリック情報収集部８は、映像選択開始手段である映像選択アイコン１３をクリックしたときに確定した設定情報（すなわち分割画面のレイアウト情報（４分割画面）およびカメラ表示サイズ情報（４分割画面に対応するカメラ表示サイズ情報））と、クリック映像一時情報１２（すなわちクリックの順序(クリックＮｏ．)およびこれに対応する監視カメラ情報（カメラＮｏ．））とを結合して表示設定情報を生成し、揮発メモリ領域の「表示設定Ｎ＋１」に書き込む。
【００３０】
「表示設定Ｎ＋１」への書き込み後にクリック映像一時情報１２は消去される。そして、クリック情報収集部８は表示制御部５に対し、「表示設定Ｎ＋１」の書き込み内容にしたがうように切替指示Ｓ１１を送る。これにより、モニタ画面においては図４の下図に示すように、所定の表示部１〜４に対してクリック選択した順の映像データ、すなわち監視カメラ２、７、４、１の映像データがそれぞれ表示される。また、４つの映像データを全部選択せずにたとえば３つの映像データのみを選択しても良く、その場合のモニタの分割画面の様子は図５の下図のようになる。
【００３１】
そして、再度、映像選択アイコン１３をクリックするか、或いは図示しない解除アイコンをクリックすることにより、図４の上図の状態に戻すことができる。このとき、「表示設定Ｎ＋１」に書き込まれた内容も消去される。
【００３２】
上記実施例では、クリック選択した順の映像データを表示させているが、クリック情報収集部８では選択した映像データのカメラ番号を認識していることから、たとえばクリック情報収集部８の収集エリアに監視カメラの番号を若い順にソートしてクリック映像一時情報１２を生成することで、所定の表示部１〜４に対し映像データを監視カメラの番号の若い順に割り振ることもできる。
【００３３】
また、上記実施例はクリック選択された映像データ用の画面レイアウトが４分割パターンのみの場合であったが、たとえば４分割パターンに加えて９分割パターン、１６分割パターンなどを付加することもできる。この場合、クリック情報収集部８は、それぞれのパターンに合わせて４個の収集エリアを持つ収集エリアパターン、９個の収集エリアを持つ収集エリアパターン、１６個の収集エリアを持つ収集エリアパターンの３つを有する。場合により、最大数である１６個の収集エリアを持つ収集エリアパターンのみを有して、収集可能な情報の数を制限する方法でもよい。
【００３４】
使用者が４分割パターン、９分割パターン、１６分割パターンのいずれかを選ぶ方法の具体例としては、たとえば図６に示すように、モニタ画面の上部に設けた４分割パターン、９分割パターン、１６分割パターンそれぞれの映像選択アイコン１３〜１５（映像選択開始手段）のいずれかを使用者がクリックしたうえで所望の表示部をクリックすればよい。図６では、９分割パターン用の映像選択アイコン１４をクリックしたうえで９つの所望の映像データをクリックした例を示している。また、場合により、映像選択アイコンを図４、図５のように１つのみ設けて、これをクリックすると４分割パターン、９分割パターン、１６分割パターンのいずれかを選ぶ選択枝が表示されるようにしてもよい。この場合には、その選択肢が映像選択開始手段に相当する。
【００３５】
以上のように、映像データと、不揮発メモリに記憶された表示設定情報（「表示設定１〜Ｎ」のいずれか）とに基いて、各分割画面の表示位置情報と各分割画面に対応する監視カメラ情報とを関連付けて設定する画面表示関連付け部７と、前記表示設定情報（「表示設定１〜Ｎ」のいずれか）に基いて分割表示された複数の映像データの内から任意の映像データをクリック選択した際のクリック情報と、画面表示関連付け部７に設定された表示位置情報および監視カメラ情報とに基いて、クリック選択した映像を特定するためのクリック映像一時情報１２を生成するクリック情報収集部８と、を備え、クリック映像一時情報１２に基いて、クリック選択された映像データをモニタに分割表示する構成によれば、使用者は複数の所望の映像を自分でクリック選択することにより自由にモニタに分割表示できるので、監視業務の利便性が向上する。画面表示関連付け部７とクリック情報収集部８とを利用することでソフトウェアプログラムも簡易なもので済む。
【００３６】
また、クリック選択する映像についての分割画面のレイアウト情報およびカメラ表示サイズ情報を確定する映像選択開始手段（映像選択アイコン１３）を備え、クリック映像一時情報１２はクリックの順序情報および監視カメラ情報からなり、前記映像選択開始手段によって確定した分割画面のレイアウト情報およびカメラ表示サイズ情報と、前記クリックの順序情報および監視カメラ情報とを結合してこれを表示設定情報（「表示設定Ｎ＋１」）として揮発メモリに書き込み、当該揮発メモリに書き込んだ表示設定情報に基いて、クリック選択した映像データをモニタに分割表示する構成とすれば、ソフトウェアプログラムが一層簡易なもので済む。
【符号の説明】
【００３７】
１      デジタル録画装置
５      表示制御部
７      画面表示関連付け部
８      クリック情報収集部
１１      表示設定情報
１２      クリック映像一時情報
１３      映像選択アイコン（映像選択開始手段）
【図１】
0005920702.tif 000002
【図２】
0005920702.tif 000003
【図３】
0005920702.tif 000004
【図４】
0005920702.tif 000005
【図５】
0005920702.tif 000006
【図６】
0005920702.tif 000007
【図７】
0005920702.tif 000008
【図８】
0005920702.tif 000009